(57)【要約】【課題】鍵を紛失した場合、拾得者が門扉へ出入り可能となるというセキュリティー上のリスクを低減すると共に、鍵の紛失に伴う煩雑な処理の発生を抑える。【解決手段】複数の鍵装置１０と、管理装置（支社管理装置２０及び本部管理装置３０）と、を備えた施錠管理システム１において、複数の鍵装置１０の各々は、施設への立ち入りを制限する門扉に設けられた電子錠１２と、ＩＣカードの識別情報を非接触で読み取る読取部１１と、読取部１１で読み取った識別情報が予め記憶された照合用情報と一致したとき、電子錠を開錠させる鍵装置制御部１７と、を備え、管理装置は、照合用情報を登録する登録部（読取部２１及び記憶部２２）と、登録部に登録した照合用情報を複数の鍵装置１０に送信する管理装置制御部（支社管理装置制御部２５）と、を備え、鍵装置制御部１７は、管理装置から照合用情報を受信した場合、照合用情報を更新する。【選択図】図１
2016014272.tif 000002
【特許請求の範囲】
【請求項１】
複数の鍵装置と、前記複数の鍵装置と通信ネットワークを介して通信可能な管理装置と、を備えた施錠管理システムにおいて、
前記複数の鍵装置の各々は、
施設への立ち入りを制限する門扉に設けられた電子錠と、
ＩＣカードの識別情報を読み取る読取部と、
前記読取部で読み取った識別情報が予め記憶された照合用情報と一致したとき、前記電子錠を開錠させる鍵装置制御部と、
を備え、
前記管理装置は、
前記照合用情報を登録する登録部と、
前記登録部に登録した前記照合用情報を前記鍵装置に送信する管理装置制御部と、
を備え、
前記鍵装置制御部は、前記管理装置から前記照合用情報を受信した場合、前記照合用情報を更新することを特徴とする施錠管理システム。
【請求項２】
前記鍵装置制御部は、前記管理装置から前記照合用情報を受信した場合、前記照合用情報を上書きすることを特徴とする請求項１に記載の施錠管理システム。
【請求項３】
前記複数の鍵装置は、前記電子錠の開錠及び施錠の履歴を示す履歴情報を記憶する記憶部を備え、
前記管理装置の前記管理装置制御部は、定期的に前記複数の鍵装置から前記履歴情報を取得することを特徴とする請求項１又は２に記載の施錠管理システム。
【請求項４】
前記通信ネットワークには、列車軌道に沿って鉄道施設内に敷設された漏洩同軸ケーブル（ＬＣＸ：Leaky CoaXia cable）回線が用いられることを特徴とする請求項１〜３の何れか一項に記載の施錠管理システム。
【発明の詳細な説明】
【技術分野】
【０００１】
本発明は、施錠管理システムに関する。
【背景技術】
【０００２】
従来、新幹線等の鉄道施設においては、線路への立ち入りを制限すべく列車軌道に沿って所定間隔毎に門扉が設けられた柵が敷設され、門扉に錠前が設置されている。
かかる門扉は、通常は施錠・閉扉されており、例えば夜間行われる保守作業等の理由で許可された者のみが鍵を保有し、錠前を開錠して鉄道施設の内部に立ち入ることができる。
【０００３】
近年、門扉に設置する錠前として、キーに埋め込まれたＩＣチップと錠本体との間で情報の受け渡しを行い照合することで開錠するＩＣキーと呼ばれる錠前が普及している（例えば、特許文献１参照）。
そして、門扉への出入りの際には、許可された者は身分を保証するＩＤカード及びＩＣキーを携帯し、ＩＤ無線機にて管理室に連絡して承認を受けた後、ＩＣキーで門扉を開錠して門扉内部に入り、所定の作業の終了時には、ＩＣキーで門扉を施錠し、ＩＤ無線機にて管理室に終了連絡を行うという方法が採用されていた。
【先行技術文献】
【特許文献】
【０００４】
【特許文献１】特開平７−２７１９２９号公報
【発明の概要】
【発明が解決しようとする課題】
【０００５】
しかしながら、上記の方法には、ＩＣキーを紛失した場合には、拾得者が門扉へ出入り可能であるため、セキュリティー上、ＩＣキーの紛失に伴って、そのＩＣキーを保有する全員のＩＣキーデータの書き換えを行わなければならなかった。このとき、大規模な鉄道施設においてはＩＣキーを保有する人数が多いため、書き換え作業に大変な手間が掛かるという問題があった。
【０００６】
本発明の目的は、鍵を紛失した場合、拾得者が門扉へ出入り可能となるというセキュリティー上のリスクを低減すると共に、鍵の紛失に伴う煩雑な処理の発生を抑えることのできる施錠管理システムを提供することである。
【課題を解決するための手段】
【０００７】
上記目的を達成するため、この発明は、
複数の鍵装置と、前記複数の鍵装置と通信ネットワークを介して通信可能な管理装置と、を備えた施錠管理システムにおいて、
前記複数の鍵装置の各々は、
施設への立ち入りを制限する門扉に設けられた電子錠と、
ＩＣカードの識別情報を読み取る読取部と、
前記読取部で読み取った識別情報が予め記憶された照合用情報と一致したとき、前記電子錠を開錠させる鍵装置制御部と、
を備え、
前記管理装置は、
前記照合用情報を登録する登録部と、
前記登録部に登録した前記照合用情報を前記鍵装置に送信する管理装置制御部と、
を備え、
前記鍵装置制御部は、前記管理装置から前記照合用情報を受信した場合、前記照合用情報を更新するようにした。
【０００８】
かかる構成によれば、
電子錠の鍵となるＩＣカードを紛失した場合、管理装置から指示して鍵装置の照合用情報を更新するだけでそのＩＣカードでは開錠できなくなる。
よって、拾得者が門扉へ出入り可能となるというセキュリティー上のリスクを低減することができると共に、全てのＩＣカードのデータの書き換えなどの鍵の紛失に伴う煩雑な処理の発生を抑えることができる。
【０００９】
また、望ましくは、
前記鍵装置制御部は、前記管理装置から前記照合用情報を受信した場合、前記照合用情報を上書きするようにする。
このようにすることで、照合用情報の更新において、照合用情報を上書きするがけでよいため、より迅速に処理を実行することが可能となる。
【００１０】
また、望ましくは、
前記複数の鍵装置は、前記電子錠の開錠及び施錠の履歴を示す履歴情報を記憶する記憶部を備え、
前記管理装置の前記管理装置制御部は、定期的に前記複数の鍵装置から前記履歴情報を取得するようにした。
このようにすることで、遠隔で複数の鍵装置の施錠状況を把握できるので、万一未施錠の門扉があった場合にも迅速な対処が可能となり、第三者の侵入等のリスクの発生を抑えることができる。
【００１１】
また、望ましくは、
前記通信ネットワークには、列車軌道に沿って鉄道施設内に敷設された漏洩同軸ケーブル（ＬＣＸ：Leaky CoaXia cable）回線が用いられるようにした。
このようにすることで、既に敷設されたネットワーク網を用いてシステムを運用することができるので、当該システムの構築を低コストで実現することができる。
また、漏洩同軸ケーブルは、列車起動に沿って第三者が容易に侵入できない鉄道施設の内部に設けられているため、第三者により切断される等のリスクが少なく、良好な通信環境を維持することができる。
【発明の効果】
【００１２】
本発明によれば、鍵を紛失した場合、拾得者が門扉へ出入り可能となるというセキュリティー上のリスクを低減すると共に、鍵の紛失に伴う煩雑な処理の発生を抑えることができる。
【図面の簡単な説明】
【００１３】
【図１】本発明の実施の形態の施錠管理システムの構成を示すブロック図である。
【図２】鍵装置における電子錠の開錠処理を示すフローチャートである。
【図３】施錠管理システムにおける施錠確認処理を示すフローチャートである。
【発明を実施するための形態】
【００１４】
以下、添付図面を参照しつつ本発明に係る実施の形態を詳細に説明する。なお、本発明は、図示例に限定されるものではない。
【００１５】
＜施錠管理システム＞
先ず、図１を参照して、本実施の形態の施錠管理システム１を説明する。図１は、施錠管理システム１の構成を示すブロック図である。
【００１６】
施錠管理システム１は、例えば新幹線などの鉄道施設において、列車軌道に沿って敷設される柵に所定間隔毎に設けられる複数の門扉の開閉に用いられる鍵を一括管理すると共に、複数の門扉の施錠状況を把握・管理するためのシステムである。
施錠管理システム１にて管理される門扉は、通常は施錠・閉扉されており、門扉の開閉を許可された者（例えば、門扉内部の設備の保守作業の作業員など、以下、「許可された者」という）のみ開錠及び内部への立ち入りが許可される。
また、本実施の形態の施錠管理システム１においては、門扉の開閉に用いられる鍵として、許可された者が所有する汎用の非接触型ＩＣカードが用いられる構成である。具体的に、使用され得るＩＣカードとしては、例えば交通機関乗車用の近接・非接触型のＩＣカード（例えば、Ｓｕｉｃａ（登録商標）等）が挙げられる。
【００１７】
図１に示すように、施錠管理システム１は、鍵装置１０と、支社管理装置（管理装置）２０と、本部管理装置（管理装置）３０とを備えている。各装置は、通信ネットワーク４０を介して常時通信可能に接続されている。
鍵装置１０は、複数（例えば、数千個）の門扉の全てに１つずつ設置される。図１において鍵装置１０は１つのみ示しているが、実際には複数（例えば、数千個）の鍵装置１０が通信ネットワーク４０に接続されている。
支社管理装置２０は、例えば、関東、東北などといった所定のエリア毎に設置される、パーソナルコンピュータ等の情報処理装置である。図１において支社管理装置２０は１つのみ示しているが、実際には複数（例えば、数個）の支社管理装置２０が通信ネットワーク４０に接続されている。支社管理装置２０は、当該支社管理装置２０が設置されたエリア内に在る鍵装置１０に常時通信可能である。
本部管理装置３０は、例えばパーソナルコンピュータ、ワークステーション、サーバコンピュータ等といった処理能力が比較的高い情報処理装置を使用することができる。この本部管理装置３０は、複数の支社管理装置２０を統括して制御する。
【００１８】
以下、施錠管理システム１を構成する各装置について説明する。
【００１９】
＜鍵装置＞
鍵装置１０は、読取部１１と、電子錠１２と、記憶部１３と、通信部１４と、電源部１５と、エラー出力部１６と、鍵装置制御部１７と、を備える。鍵装置１０の各部は、バス１８を介して互いに接続されている。
【００２０】
読取部１１は、鍵装置１０が設置された門扉を開錠しようとする者が所持するＩＣカードの識別情報を非接触で読み取るカードリーダーである。
ここで、上述したように、ＩＣカードは、電子錠１２を開錠させるための鍵として機能している。ＩＣカードには、例えば、そのＩＣカード固有の識別情報、そのＩＣカードを所有する者の個人情報、ＩＣカードの種類、ＩＣカードを用いた際の交通機関の利用履歴等の各種情報が記録されている。
読取部１１はメモリを備え、メモリには、許可された者が所持するＩＣカードの識別情報データが、予め照合用情報として記憶されている。
読取部１１は、許可された者がＩＣカードを当該読取部１１にかざす等して一定距離内まで近づけると、そのＩＣカードに記憶された識別情報を読み取り、照合用情報と照合し、読み取った識別情報と照合用情報とが一致した場合、開錠許可信号を鍵装置制御部１７に出力する。
また、読取部１１は、読み取った識別情報と照合用情報とが一致しない場合、エラー信号を鍵装置制御部１７に出力する。
【００２１】
電子錠１２は、読取部１１から出力された開錠許可信号に応じて鍵装置制御部１７から出力される開錠要求信号に応じて施錠状態から開錠状態に遷移する錠前である。
電子錠１２としては、例えば、本体、掛け金を備えた南京錠型のものを用いることができる。かかる構成の場合、鍵装置制御部１７から送信される開錠要求信号に応じて、電磁石（ソレノイド）等の磁力を用いて掛け金が動かされ、施錠状態から開錠状態に遷移する。
なお、電子錠１２は、開錠要求信号に応じて施錠状態から開錠状態に遷移する構成であれば、電磁石を用いて南京錠の掛け金が動かされる構成に限定されるものではなく、更に、南京錠型以外の錠を用いても良い。
また、電子錠１２は、施錠も指示信号に応じて自動で行われる構成であっても良いが、手動で行う構成としても良い。
この電子錠１２には、当該電子錠１２の開錠及び施錠に連動して切り切り替わるリミットスイッチが備えられ、施錠状態の際に、施錠されていることを示すロック信号を鍵装置制御部１７に出力している。
【００２２】
記憶部１３は、例えば、フラッシュメモリ、ＥＥＰＲＯＭ（Electrically Erasable Programmable Read Only Memory）等で構成され、情報の読み出し及び書き込みが可能である。
記憶部１３には、電子錠１２の開錠及び施錠の履歴を示す履歴情報が記憶される。
具体的に、履歴情報には、例えば、その電子錠１２を識別する電子錠識別コード、電子錠１２が開錠された時刻、電子錠１２の開錠に用いられたＩＣカードの識別情報、当該ＩＣカードを所有する者の個人情報、施錠された時刻等が含まれ、電子錠１２が開錠又は施錠されるたび、記憶部１３には履歴情報が追加されていく。
【００２３】
通信部１４は、通信ネットワーク４０を介して、支社管理装置２０及び本部管理装置３０と通信を行う。
【００２４】
電源部１５は、鍵装置１０の各部に電力を供給する。
【００２５】
エラー出力部１６は、例えば、ランプ、スピーカー、或いは表示画面等を備え、エラー信号に応じて、点灯、エラー音の出力、或いはエラーメッセージの表示等により、エラーであることを認識可能に動作する。
【００２６】
鍵装置制御部１７は、鍵装置１０の各部を制御する。鍵装置制御部１７は、ＣＰＵ（Central Processing Unit）、ＲＡＭ（Random Access Memory）、ＲＯＭ（Read Only Memory）を備える。
ＲＯＭには、各種データ及びプログラムが記憶されている。ＣＰＵが指定されたプログラムをＲＯＭから読み出してＲＡＭに展開し、展開されたプログラムとＣＰＵとの協働により、鍵装置制御部１７が、各種処理を行う。
【００２７】
例えば、鍵装置制御部１７は、支社管理装置２０から、許可された者のＩＣカードの識別情報データ（照合用情報）を受信した場合、読取部１１のメモリに記憶させる。ここで、読取部１１のメモリに既に照合用情報が記憶されている場合には、新たに受信した識別情報データ（照合用情報）により既存の照合用情報を上書きすることで更新する。
また、鍵装置制御部１７は、読取部１１から出力された開錠許可信号に応じて、電子錠１２に開錠要求信号を出力し、電子錠１２を開錠させる。
また、鍵装置制御部１７は、電子錠１２を開錠させた際の時刻、電子錠１２を開錠したＩＣカードの識別情報、当該ＩＣカードを所有する者の個人情報等を記憶部１３に記憶させる。
また、鍵装置制御部１７は、支社管理装置２０から履歴情報の送信要求信号（後述）を受信した場合、記憶部１３に記憶された全ての履歴情報のデータを支社管理装置２０に送信する。
【００２８】
＜支社端末装置＞
支社管理装置２０は、主に、当該支社管理装置２０が設置されたエリア内に在る、一乃至複数（例えば、一乃至数百個）の鍵装置１０を管理するためのものである。支社管理装置２０は、例えば、許可された者が、門扉に設置された鍵装置１０を開錠する際の鍵としてＩＣカードを登録する場合などに用いられる。
【００２９】
支社管理装置２０は、読取部（登録部）２１と、記憶部（登録部）２２と、操作部２３と、通信部２４と、支社管理装置制御部（管理装置制御部）２５と、を備える。支社管理装置２０の各部は、バス２６を介して互いに接続されている。
【００３０】
読取部２１は、ＩＣカードの識別情報を非接触で読み取るカードリーダーである。即ち、許可された者は、ＩＣカードを読取部２１にかざす等して一定距離内まで近づけ、そのＩＣカードに記憶された識別情報を読取部２１に読み取らせる。
【００３１】
記憶部２２は、例えば、例えば、フラッシュメモリ、ＥＥＰＲＯＭ（Electrically Erasable Programmable Read Only Memory）等で構成され、情報の読み出し及び書き込みが可能である。
記憶部２２には、読取部２１により読み取った許可された者のＩＣカードの識別情報が記憶（登録）される。これにより、当該ＩＣカードの識別情報が、門扉を開錠する際の鍵として登録されることとなる。
なお、登録された識別情報は、操作部２３の操作により削除することが可能である。
【００３２】
操作部２３は、支社管理装置２０を操作するユーザからの操作入力を受け付け、その操作情報を支社管理装置制御部２５に出力する。
例えば、操作部２３は、記憶部２２に記憶（登録）された識別情報を削除する場合になどに使用される。
【００３３】
通信部２４は、通信ネットワーク４０を介して、鍵装置１０及び本部管理装置３０と通信を行う。
なお、鍵装置１０との通信において、通信部２４は、通信ネットワーク４０上の基地局（図示略）と無線通信を行う構成とすることができる。つまり、通信部２４は、基地局及び通信ネットワーク４０を介して、鍵装置１０と通信を行う構成とすることができる。
【００３４】
支社管理装置制御部２５は、支社管理装置２０の各部を制御する。支社管理装置制御部２５は、ＣＰＵ、ＲＡＭ、ＲＯＭを備える。
ＲＯＭには、各種データ及びプログラムが記憶されている。ＣＰＵが指定されたプログラムをＲＯＭから読み出してＲＡＭに展開し、展開されたプログラムとＣＰＵとの協働により、支社管理装置制御部２５が、各種処理を行う。
例えば、支社管理装置制御部２５は、定期的に（例えば、１日に１度、所定時刻に）、記憶部２２に記憶された（登録された）ＩＣカードの識別情報のデータを、鍵装置１０及び本部管理装置３０に送信する。なお、鍵装置１０及び本部管理装置３０に送信する識別情報のデータには、記憶部２２に記憶された（登録された）全てのＩＣカードの識別情報が含まれる。
また、支社管理装置制御部２５は、本部管理装置３０から履歴情報の取得要求信号（後述）を受信した場合、履歴情報の送信要求信号を鍵装置１０に送信する。
また、支社管理装置制御部２５は、鍵装置１０から履歴情報のデータを受信した場合、当該履歴情報のデータを本部管理装置３０に送信する。
【００３５】
＜本部端末装置＞
本部管理装置３０は、全ての鍵装置１０の鍵（ＩＣカード）の識別情報を一括管理すると共に、全ての鍵装置１０の開錠・施錠状況を把握・管理するためのものである。
【００３６】
本部管理装置３０は、表示部３１と、操作部３２と、記憶部３３と、通信部３４と、本部管理装置制御部（管理装置制御部）３５と、を備える。本部管理装置３０の各部は、バス３６を介して互いに接続されている。
【００３７】
表示部３１は、ＬＣＤ（Liquid Crystal Display）等の表示パネルを備え、本部管理装置制御部３５からの指示に応じて表示パネルに各種表示を行う。
【００３８】
操作部３２は、本部管理装置３０を操作するユーザからの操作入力を受け付け、その操作情報を本部管理装置制御部３５に出力する。
【００３９】
記憶部３３は、フラッシュメモリ、ＥＥＰＲＯＭ（Electrically Erasable Programmable Read Only Memory）等で構成され、情報の読み出し及び書き込みが可能である。
記憶部３３には、各支社管理装置２０を介して送信されてきた全ての鍵装置１０に関する履歴情報が記憶される。
具体的に、履歴情報には、例えば、当該履歴情報を本部管理装置３０が受信した時刻（受信時刻）、当該履歴情報を送信してきた支社管理装置２０を識別する端末装置識別コード、電子錠１２を識別する電子錠識別コード、電子錠１２が開錠された時刻、電子錠１２の開錠に用いられたＩＣカードの識別情報、当該ＩＣカードを所有する者の個人情報、及び施錠された時刻等が含まれる。
また、記憶部３３には、支社管理装置２０から定期的に送信される識別情報のデータに基づき、識別情報が記憶（更新）される。
【００４０】
通信部３４は、通信ネットワーク４０を介して、鍵装置１０及び支社管理装置２０と通信を行う。
【００４１】
本部管理装置制御部３５は、本部管理装置３０の各部を制御する。本部管理装置制御部３５は、ＣＰＵ、ＲＡＭ、ＲＯＭを備える。
ＲＯＭには、各種データ及びプログラムが記憶されている。ＣＰＵが指定されたプログラムをＲＯＭから読み出してＲＡＭに展開し、展開されたプログラムとＣＰＵとの協働により、鍵装置制御部１７が、各種処理を行う。
【００４２】
例えば、本部管理装置制御部３５は、定期的に鍵装置１０の開錠・施錠状況を確認する施錠確認処理を行う。
具体的に、本部管理装置制御部３５は、定期的に、支社管理装置２０に履歴情報の取得要求信号を送信する。そして、本部管理装置制御部３５は、上記取得要求信号の応答として、支社管理装置２０から履歴情報のデータを受信した場合、履歴情報を記憶部３３に記憶する。
ここで、支社管理装置２０は、例えばエリア毎となるよう複数設けられており、各支社管理装置２０は、それぞれ一乃至複数（例えば一乃至数百個）の鍵装置１０から履歴情報のデータを取得して、本部管理装置３０に送信する。このため、本部管理装置３０は、全て（例えば数千個）の鍵装置１０の履歴情報のデータを取得することとなる。
【００４３】
通信ネットワーク４０には、例えば、門扉（新幹線等の列車軌道に沿って設置された鉄道施設）の内部に敷設された漏洩同軸ケーブル（ＬＣＸ：Leaky CoaXia cable）回線が用いられる。
漏洩同軸ケーブルは、外部導体に使用周波数帯に応じた形状の穴を開けたもので、電気信号を伝送するとともに、送受信アンテナとしても働くという特性を有し、一般に、通常のアンテナの利用では電波が伝わりにくい鉄道線路、トンネル、地下鉄等に敷設されるものである。このため、本施錠管理システム１を鉄道施設に用いるにあたり、通信障害が発生しづらく、施錠確認処理等を円滑に行うことができる。
また、漏洩同軸ケーブルは、門扉の内部に設けられているため、第三者により切断される等のリスクが少なく、良好な通信環境を維持することができる。
【００４４】
次に、図２、３を参照して、本実施の形態の施錠管理システム１の運用方法について説明する。
【００４５】
＜ＩＣカードの登録＞
かかる施錠管理システム１の運用にあたっては、最初に、支社管理装置２０において、許可された者のＩＣカードの識別情報の登録が行われる。
具体的には、許可された者がＩＣカードを支社管理装置２０の読取部２１に近づけると、読取部２１によりそのＩＣカードの識別情報が読み取られ、記憶部２２に記憶（登録）される。
支社管理装置２０の支社管理装置制御部２５は、所定時刻になると、登録された全ＩＣカードの識別情報を含む識別情報のデータを照会用情報として鍵装置１０及び本部管理装置３０に送信する。
鍵装置１０の鍵装置制御部１７及び本部管理装置３０の本部管理装置制御部３５は、支社管理装置２０から識別情報のデータを受信し、それぞれ読取部１１のメモリ及び記憶部３３に記憶（更新）する。
なお、仮に、支社管理装置２０において新たなＩＣカードの識別情報の登録がなされない場合であっても、支社管理装置２０は、所定時刻になると、その時点で記憶部２２に記憶されている全識別情報を含む識別情報のデータを鍵装置１０及び本部管理装置３０に送信する。
【００４６】
このような処理により、各鍵装置１０においては、当該鍵装置１０の電子錠１２を開錠する際に照会に用いる照会用情報が定期的に更新されることとなる。
また、本部管理装置３０では、全ての鍵装置１０について、電子錠１２を開錠することの可能なＩＣカードを把握できることとなる。
ここで、ある許可された者が、登録していたＩＣカードを紛失した場合を考える。
この場合には、支社管理装置２０は、紛失が発覚した時点で、そのＩＣカードの識別情報を記憶部３３から削除する。そして、そのＩＣカードの識別情報が削除された識別情報のデータを、鍵装置１０及び本部管理装置３０に送信すればよい。
これにより、他の許可された者が保有するＩＣカードの書き換え等の手間は発生せず、第三者が、紛失したＩＣカードを用いて鍵装置１０を開錠することも不可能となる。
【００４７】
＜電子錠の開錠処理＞
図２は、鍵装置１０における電子錠１２の開錠処理を示すフローチャートである。
かかる処理は、鍵装置１０の鍵装置制御部１７の制御により実行される。
門扉を開錠する場合、支社管理装置２０にて識別情報を登録済みのＩＣカードが、鍵装置１０の読取部１１に近づけられると、ＩＣカードの識別情報が読み取られる（Ｓ１１）。
次いで、読み取った識別情報と予め記憶された照合用情報とが一致する場合（Ｓ１２；Ｙ）、電子錠１２が開錠され（Ｓ１３）、電子錠１２が開錠された履歴情報が記憶部１３に記憶される（Ｓ１４）。
また、読み取った識別情報と予め記憶された照合用情報とが一致しない場合（Ｓ１２；Ｎ）、エラー出力部１６によりエラーが出力される（Ｓ１５）。
【００４８】
上記のようにして電子錠１２が開錠状態となると、リミットスイッチからロック信号が出力されなくなる。そして、この後、ロック信号が出力されると、電子錠１２が施錠状態となったと判断され（Ｓ１６；Ｙ）、電子錠１２が施錠された履歴情報が記憶部１３に記憶される（Ｓ１７）。
【００４９】
このような処理により、許可された者は、ＩＣカードを読取部１１に近づけるだけで電子錠１２の開錠することができる。即ち、簡単な操作で電子錠１２を開錠することができる。
また、各鍵装置１０において、電子錠１２の開錠・施錠の履歴情報を記憶することができる。
【００５０】
＜施錠確認処理＞
図３は、施錠管理システム１における施錠確認処理を示すフローチャートである。
施錠確認処理は、本部管理装置３０の一括管理のもと、本部管理装置３０からの指示に応じて、定期的に実行されるものである。
先ず、本部管理装置３０は、所定時刻になると（Ｓ２１；Ｙ）、通信ネットワーク４０を介して接続された支社管理装置２０に対して履歴情報の取得要求信号を送信する（Ｔ２２）。
次いで、支社管理装置２０は、本部管理装置３０から送信された履歴情報の取得要求信号を受信すると、支社管理装置２０の管轄エリア内の鍵装置１０に対して順番に履歴情報の送信要求信号を送信する（Ｔ２３）。
次いで、鍵装置１０は、支社管理装置２０からの履歴情報の送信要求信号を受信すると、支社管理装置２０に対して履歴情報のデータを送信する（Ｔ２４）。
次いで、支社管理装置２０は、鍵装置１０からの履歴情報のデータを受信すると、本部管理装置３０に対してその履歴情報のデータを送信する（Ｔ２５）。
次いで、本部管理装置３０は、支社管理装置２０から履歴情報のデータを受信し、履歴情報を記憶部３３に記憶する（Ｓ２６）。
【００５１】
上記したように、支社管理装置２０は、複数の鍵装置１０に対して履歴情報の送信要求信号を送信するため、一の支社管理装置２０は、複数（例えば数百個）の鍵装置１０の履歴情報を受信することとなる。
また、上記したように、本部管理装置３０は、複数の支社管理装置２０に対して履歴情報の取得要求信号を送信するため、結果として、複数（例えば数千個）の鍵装置１０の履歴情報のデータを、本部管理装置３０が取得することとなる。
【００５２】
このような処理により、本部管理装置３０においては、門扉に設けられた全ての鍵装置１０の履歴情報を一括で管理でき、開錠・施錠状況を把握することができる。
【００５３】
以上のように、本実施形態によれば、複数の鍵装置１０と、複数の鍵装置１０と通信ネットワーク４０を介して通信可能な管理装置（支社管理装置２０及び本部管理装置３０）と、を備えた施錠管理システム１において、複数の鍵装置１０の各々は、施設への立ち入りを制限する門扉に設けられた電子錠１２と、ＩＣカードの識別情報を非接触で読み取る読取部１１と、読取部１１で読み取った識別情報が予め記憶された照合用情報と一致したとき、電子錠を開錠させる鍵装置制御部１７と、を備え、管理装置は、照合用情報を登録する登録部（読取部２１及び記憶部２２）と、登録部に登録した照合用情報を複数の鍵装置１０に送信する管理装置制御部（支社管理装置制御部２５）と、を備え、鍵装置制御部１７は、管理装置から照合用情報を受信した場合、照合用情報を更新する。
このため、許可された者がＩＣカードを紛失した場合、管理装置から指示して鍵装置の照合用情報を書き換えるだけでそのＩＣカードでは開錠できなくなる。
よって、拾得者が門扉へ出入り可能となるというセキュリティー上のリスクを低減することができると共に、全てのＩＣカードのデータの書き換えなどの鍵の紛失に伴う煩雑な処理の発生を抑えることができる。
【００５４】
また、本実施形態によれば、鍵装置制御部１７は、管理装置（支社管理装置２０）から照合用情報を受信した場合、照合用情報を上書きする。
このため、照合用情報の更新において、照合用情報を上書きするがけでよいため、より迅速に処理を実行することが可能となる。
【００５５】
また、本実施形態によれば、複数の鍵装置１０は、電子錠１２の開錠及び施錠の履歴を示す履歴情報を記憶する記憶部１３を備え、管理装置の管理装置制御部（支社管理装置制御部２５及び本部管理装置制御部３５）は、定期的に複数の鍵装置１０から履歴情報を取得する。
このため、遠隔で、複数の鍵装置１０の施錠状況を把握できるので、万一未施錠の門扉があった場合にも迅速な対処が可能となり、第三者の侵入等のリスクの発生を抑えることができる。
【００５６】
また、本実施形態によれば、通信ネットワーク４０には、列車軌道に沿って鉄道施設内に敷設された漏洩同軸ケーブル回線が用いられる。
このため、既に敷設されたネットワーク網を用いてシステムを運用することができるので、当該システムの構築を低コストで実現することができる。
また、漏洩同軸ケーブル回線は、新幹線等の列車起動に沿って敷設され、第三者が容易に侵入できない門扉の内部に設けられている。このため、漏洩同軸ケーブルが第三者により切断される等のリスクが少なく、良好な通信環境とすることができる。
【００５７】
なお、上記実施形態においては、管理装置として、支社管理装置２０及び本部管理装置３０を備え、本部管理装置３０が支社管理装置２０に指示を出して鍵装置１０を一括管理する構成を例示して説明したが、本部管理装置３０及び支社管理装置２０を一つの管理装置とする構成であっても良いのは勿論である。
上記実施形態のように、施錠管理システム１を、広範囲のエリアにわたる施設に適用する場合、支社管理装置２０を備えたほうが効率よく履歴情報取得等の処理を行うことができるが、鍵装置１０の数や、エリアの面積に応じて、管理装置の構成は適宜変更すればよい。
【００５８】
また、上記実施形態においては、鍵装置制御部１７は、管理装置から照合用情報を受信した場合、照合用情報を上書きする構成を例示して説明したが、ＩＣカードの識別情報データの変更箇所のみを管理装置から送信し、その箇所のみ書き換える（データの追加及び削除を行う）構成であっても良い。
【００５９】
また、上記実施形態においては、施錠管理システム１を、新幹線等の列車軌道に沿って敷設される柵に設けられた複数の門扉に適用する場合を例示して説明したが、施錠管理システム１は、これ以外の施設への立ち入りを制限する門扉に対して適用可能である。
また、通信ネットワークは、漏洩同軸ケーブル回線以外のものを用いることができるのは勿論である。
【００６０】
また、上記実施形態においては、鍵装置１０は、管理装置からの要求に応じて履歴情報を送信する構成を例示したが、これ以外にも、履歴情報が更新されるタイミングにおいても管理装置に履歴情報を送信する構成としても良い。
或いは、予め設定された時刻（例えば夜間）以外の時刻で履歴情報が更新された場合には、鍵装置１０は、そのタイミングで、履歴情報を管理装置に送信する等の構成としても良い。
【符号の説明】
【００６１】
１  施錠管理システム
１０  鍵装置
１１  読取部
１２  電子錠
１３  記憶部
１４  通信部
１５  電源部
１６  エラー出力部
１７  鍵装置制御部
１６  バス
２０  支社管理装置（管理装置）
２１  読取部（登録部）
２２  記憶部（登録部）
２３  操作部
２４  通信部
２５  支社管理装置制御部（管理装置制御部）
２６  バス
３０  本部管理装置（管理装置）
３１  表示部
３２  操作部
３３  記憶部
３４  通信部
３５  本部管理装置制御部（管理装置制御部）
３６  バス
４０  通信ネットワーク
【図１】
2016014272.tif 000003
【図２】
2016014272.tif 000004
【図３】
2016014272.tif 000005